(57)【要約】【課題】鉄骨柱間を溶接した後に、全ジョイントプレートをバーナーで切断しなければならないため、施工性が悪く、柱を火熱で損傷させてしまったり、粉塵、煙、火炎が発生してしまう。【解決手段】レールガイド１に取り付けられた走行レール２と、該走行レール２に摺動自在に取り付けされた切断手段３とを備える。レールガイド１は、下端側に取付基板１ｂを介して電磁石１ｃが付設されている。切断手段３は、走行レール２の上下両端を摺動する上下一対の滑動ローラ３ａを介して摺動自在に組み付けられた取付基板３ｂと、該取付基板３ｂに本体フレーム３ｃを介して突設された駆動モータ３ｄと、該駆動モータ３ｄに連動された駆動ローラ３ｅと、該駆動ローラ３ｅと相対して設けられた一対の従動ローラ３ｆと、該従動ローラ３ｆと前記駆動ローラ３ｅとで回転するカッターとを備える。【選択図】  図５
2006021265.tif 000002
【特許請求の範囲】
【請求項１】
鉄骨構造における鉄骨柱等の固定部に着脱自在に取り付けされるレールガイドと、該レールガイドに取り付けられた走行レールと、該走行レールに摺動自在に取り付けられてガイドピース、吊りピース或いはエレクションピース等の突起物を切断せしめる切断手段とを備えてなることを特徴とする移動式切断機。
【請求項２】
前記切断手段は、ローラを介して走行レールに摺動自在に組み付けられた取付基板と、該取付基板に本体フレームを介して突設された駆動モータと、該駆動モータに連動されたカッターとを備えてなることを特徴とする請求項１に記載の移動式切断機。
【発明の詳細な説明】
【技術分野】
【０００１】
本発明は、主として鉄骨構造又は鉄筋コンクリート構造における鉄骨柱などの接続部に突設されるジョイントプレート、ガイドピース、吊りピース若しくはエレクションピース等の突起物をバーナーで切断することなく簡単かつ平滑に切断することができる有用な移動式切断機に関する。
【背景技術】
【０００２】
従来、斯かる鉄骨柱の切断にあっては、例えば、角形鉄骨柱の接合すべき端部に、柱長手方向に沿ったジョイントプレートを溶接し、上下に接する鉄骨柱間をこのプレートの両面に添え付けたスプライスプレートをボルトで締結することにより、エレクションピースを仮止めしているため、鉄骨柱間を溶接した後、前記ジョイントプレートは、柱表面から１０ｍｍ前後離れた位置からガスバーナーで切断しているのが現状である（特許文献１参照）。
【特許文献１】特開平６−１８５１１４号公報
【発明の開示】
【発明が解決しようとする課題】
【０００３】
しかしながら、従来の切断方法にあっては、鉄骨柱間を溶接した後に、全ジョイントプレートをバーナーで切断しなければならないため、施工性が悪く、柱を火熱で損傷させてしまったり、粉塵、煙、火炎が発生してしまうなどの問題を有する。
【０００４】
しかも、従来の切断方法では、ジョイントプレートの根本から切断できないため、柱の表面に切断した同プレートの切断跡（凸部）が残存してしまい、また、そのサンダー等の仕上げ工事に時間を要すると共に、長時間に亘り騒音公害を来してしまうなど社会問題にもなっている。
【０００５】
本発明はこのような従来の問題点に鑑みてなされたもので、火炎のおそれなく簡単かつ平滑にジョイントプレート、ガイドピース、エレクションピース若しくは吊りピースなどの突起物を切断することができ有用な移動式切断機を提供することを目的としたものである。
【課題を解決するための手段】
【０００６】
上述の如き従来の問題点を解決し、所期の目的を達成するため本発明の要旨とする構成は、鉄骨構造における鉄骨柱等の固定部に着脱自在に取り付けされるレールガイドと、該レールガイドに取り付けられた走行レールと、該走行レールに摺動自在に取り付けされてガイドピース、エレクションピース等の突起物を切断せしめる切断手段とを備えてなる移動式切断機に存する。
【０００７】
また、前記切断手段は、ローラを介して走行レールに摺動自在に組み付けられた取付基板と、該取付基板に本体フレームを介して突設された駆動モータと、該駆動モータに連動されたカッターとを備えるのが良い。
【発明の効果】
【０００８】
本発明の移動式切断機は、鉄骨構造における鉄骨柱等の固定部に着脱自在に取り付けされるレールガイドと、該レールガイドに取り付けられた走行レールと、該走行レールに摺動自在に取り付けされてガイドピース、エレクションピース等の突起物を切断せしめる切断手段とを備えてなることによって、小さな力でより簡単かつ平滑に前記エレクションピース等の突起物を切断できるため、騒音も少なく、また、従来の如くバーナーで切断する手間が省ける分、煙、火炎が発生してしまうなどの危惧をも解消できるといった効果を奏するものである。
【０００９】
また、前記切断手段が、ローラを介して走行レールに摺動自在に組み付けられた取付基板と、該取付基板に本体フレームを介して突設された駆動モータと、該駆動モータに連動されたカッターとを備えてなることによって、突起物の根本から平滑に切断することができるため、従来の如く柱の表面に切断した同プレートの切断跡（凸部）が残存してしまうことがなく、また、その分、サンダー等の仕上げ工事に要する時間を短縮でき、一日の切断量が増やせるため、より工期の短縮化が可能になる他、目隠し処理、最終仕上げ或いは耐火被覆工事も美麗にすることができる。
【発明を実施するための最良の形態】
【００１０】
鉄骨構造における鉄骨柱等の固定部に着脱自在に取り付けされるレールガイドと、該レールガイドに取り付けられた走行レールと、該走行レールに摺動自在に取り付けされてガイドピース、エレクションピース等の突起物を切断せしめる切断手段とを備える。前記切断手段は、走行レールにローラを介して摺動自在に組み付けられた取付基板と、該取付基板に本体フレームを介して突設された駆動モータと、該駆動モータに連動された駆動ローラと、該駆動ローラと相対して設けられた従動ローラと、該従動ローラと前記駆動ローラとで回転するワイヤソー等のカッターと、該カッターをガイドピース、エレクションピース等の突起物に対して高さ調整自在に取り付ける高さ調整部材とを備えるのが良い。
【実施例】
【００１１】
次に、本発明に係る移動式切断機の実施の一例を図面を参照しながら説明する。図中Ａは、本発明に係る移動式切断機であり、この移動式切断機Ａは、図１乃至図３に示すように、鉄骨柱等の固定部Ｂ（図１２参照）に着脱自在に取り付けされるレールガイド１，１と、該レールガイド１，１に取り付けられた走行レール２，２と、該走行レール２に摺動自在に取り付けされた切断手段３とを備える。
【００１２】
レールガイド１，１は、測板１ａを介して走行レール２，２を所定間隔に保持するものであり、上端側に走行レール２，２が、下端側に取付基板１ｂを介して電磁石１ｃが付設されている。この電磁石１ｃは、電磁スイッチ１ｄのオンオフ操作の切り替えで、鉄骨柱の固定部Ｂに着脱自在に吸着できるものである。
【００１３】
走行レール２，２は、切断手段３を摺動自在に支持するものであり、長手方向の上下両端に後述する切断手段３の滑動ローラ３ａ，３ａ…が滑落しないように支持されている。
【００１４】
切断手段３は、図４に拡大して示すように、走行レール２，２の上下両端を摺動する上下一対の滑動ローラ３ａ，３ａ…を介して摺動自在に組み付けられた取付基板３ｂ，３ｂと、該取付基板３ｂ，３ｂに本体フレーム３ｃを介して突設された駆動モータ３ｄと、該駆動モータ３ｄに連動された駆動ローラ３ｅと、該駆動ローラ３ｅと相対して設けられた一対の従動ローラ３ｆ、３ｆと、該従動ローラ３ｆ、３ｆと前記駆動ローラ３ｅとで回転するカッター３ｇと、切断手段３を取り付ける際に、カッター３ｇを保護するカッターガイド３ｈとを備える。
【００１５】
滑動ローラ３ａ，３ａ…は、走行レール２，２の長手方向の上下両端４箇所を滑動すべく取付基板３ｂ，３ｂに軸着されている。
【００１６】
取付基板３ｂ，３ｂは、本体フレーム３ｃの幅方向表裏両面に突設されており、走行レール２，２に対し、それぞれ四つの滑動ローラ３ａ，３ａを平行に保持している。
【００１７】
本体フレーム３ｃは、上位に駆動モータ３ｄを突設していると共に、中央位置に下端縁が開放された切欠溝３ｃ１  が形成されている。この切欠溝３ｃ１  は、ガイドピース、ジョイントピース若しくはエレクションピース等の突起物Ｃを許容できる大きさに形成されており、切断手段３が走行レール２，２上を移動しながら同突起物Ｃを切断できるように開通されている。
【００１８】
駆動モータ３ｄは、図４に示すように、振動を吸収するための撥條体３ｄ１  ，３ｄ１  に支持された高さ調整部材３ｄ２  を介して前記本体フレーム３ｃに取り付けされており、駆動軸側にベアリングケース３ｄ３  を介して駆動ローラ３ｅが付設されている。
【００１９】
高さ調整部材３ｄ２  は、撥條体３ｄ１  ，３ｄ１  の下位に螺旋式の間隔調整基板３ｄ３  を備えており、斯かる間隔調整部３ｄ３  を回動調整することで駆動モータ３ｄを上下方向に変位することができる。
【００２０】
駆動ローラ３ｅは、従動ローラ３ｆ、３ｆよりも大径に形成されたプーリからなり、従動ローラ３ｆ、３ｆと伝動すべく回転式のカッター３ｇが掛け回されている。
【００２１】
従動ローラ３ｆ，３ｆは、本体フレーム３ｃの下端側の二角に取り付けられた左右一対のプーリからなり、突起物Ｃに対しカッター３ｇが直交するように配設されている。
【００２２】
カッター３ｇは、例えば、ワイヤー式の回転式カッター（ワイヤソー）からなり、前記両ローラ３ｅ，３ｆを介して高速に回転されるため、通常はベルトカバー３ｄ４  で覆われている（図６参照）。
【００２３】
カッターガイド３ｈは、図４及び図６に示すように、従動ローラ３ｆの近傍に位置する本体フレーム３ｃに設けられている。このカッターガイド３ｈは、本体フレーム３ｃの幅方向を貫通する金属等の剛性棒状体からなり、切断手段３をエレクションピース、吊りピース等の突起物Ｃに位置決め（セット）する際に、意に反してカッター３ｇが同突起物Ｃに接触するなどして同カッター３ｇが安易に損傷しないようにガイドするものであり、セット後或いはカッター位置の高さを調整した後、同ガイド３ｈは取り外されるのである。
【００２４】
このように構成される本実施例の移動式切断機Ａは、図１４に示すように、切断したいエレクションピース等の突起物Ｃに対し、電磁石１ｃの電磁スイッチ１ｄを入れて鉄骨柱等の固定部Ｂに吸着し、次いで、カッター３ｇの高さ調整を確認した後、駆動モータ３ｄのスイッチを入れて切断作業を開始する。
【００２５】
そして、電動ギア若しくはエアシリンダー等の変位手段４で切断手段３を動作させながら、また、併せて切断スピードを調整する。次いで、突起物Ｃに沿って切断手段３を移動させることで、カッター３ｇで同突起物Ｃを根本から平滑に切断することができる。
【００２６】
尚、図１１は、変位手段４にエアシリンダーを使用した場合を示す説明図であり、ピストンロッド４ａの先端に付設されているＬ型のストッパー４ｂを、同ロッド４ａの最長ストローク位置で走行レール２に（蝦蛄型万力等の止着手段５を介して）固定し、次いで、ピストンロッド４ａが元の位置（最短位置）に強制的に戻ることで切断手段３をストローク分、移動させることができるものであり、このストローク作業を順次繰り返しながら必要位置まで走行するのである。
【００２７】
また、動作中、カッター３ｇが破断したり、また、ベース異常が発生した時にはセンサー（図示せず）が作動して駆動モータ３ｄなどを停止するように安全性についても考慮されていることは云うまでもない。
【００２８】
このように本発明の移動式切断機では、小さな力でより簡単かつ平滑に前記エレクションピース等の突起物Ｃを切断できるなど、従来に比して作業条件が大幅に改善されると共に、従来の如くバーナーで切断する手間が省ける分、煙、火炎が発生してしまうなどの心配もなく、しかも、従来の切断法で問題となっていた柱の表面に切断したプレートの切断跡（凸部）が残存してしまうこと、その分、サンダー等の仕上げ工事に時間を要すること、また、長時間に亘り騒音公害を来してしまうことを全て解消でき、更には、一日の仕事量（切断量）が増やせるため、より工期の短縮化が可能になる他、目隠し処理、最終仕上げ或いは耐火被覆工事も美麗にすることができるのである。
【００２９】
尚、本発明の移動式切断機は、本実施例に限定されることなく、本発明の目的の範囲内で自由に設計変更できるものであり、本発明はそれらの全てを包摂するものである。例えば、本実施例では切断手段３に縦型（垂直式）の駆動モータ３ｄを使用しているが、これに限定されることなく、図１２乃至図１３に示すように、駆動モータ３ｄを切断作業の邪魔にならないように横型（水平式）にしても良い。更には、エアーレギュレータ６や電動ギア（図示せず）などを使用して切断手段３を走行レール２，２に対し自動走行できるようにしても良い。因に、図中７は、切断手段３を走行レール２，２に取り付ける際に使用するハンドルである。
【図面の簡単な説明】
【００３０】
【図１】本発明に係る移動式切断機を示す斜視図である。
【図２】同移動式切断機の左側面図ある。
【図３】同移動式切断機の正面図である。
【図４】同移動式切断機の切断手段を示す説明図である。
【図５】同切断手段の側面図である。
【図６】同切断手段の側面図である。
【図７】同移動式切断機の下部を示す斜視図ある。
【図８】同移動式切断機の一部破断説明図である。
【図９】同移動式切断機の斜視図である。
【図１０】同移動式切断機の右側面図である。
【図１１】同移動式切断機の変位手段を示す説明図である。
【図１２】同移動式切断機で使用する他の切断手段を示す説明図である。
【図１３】同切断手段の斜視図である。
【図１４】同移動式切断機の使用状態を示す説明図である。
【符号の説明】
【００３１】
１  レールガイド
１ａ  側板
１ｂ  取付基板
１ｃ  電磁石
１ｄ  電磁スイッチ
２  走行レール
３  切断手段
３ａ  滑動ローラ
３ｂ  取付基板
３ｃ  本体フレーム
３ｃ１  切欠溝
３ｄ  駆動モータ
３ｄ１  撥條体
３ｄ２  高さ調整部材
３ｄ３  ベアリングケース
３ｄ４  ベルトカバー
３ｅ  駆動ローラ
３ｆ  従動ローラ
３ｇ  カッター
３ｈ  カッターガイド
４  変位手段
４ａ  ピストンロッド
４ｂ  ストッパー
５  止着手段
６  エアーレギュレータ
７  ハンドル
【図１】
2006021265.tif 000003
【図２】
2006021265.tif 000004
【図３】
2006021265.tif 000005
【図４】
2006021265.tif 000006
【図５】
2006021265.tif 000007
【図６】
2006021265.tif 000008
【図７】
2006021265.tif 000009
【図８】
2006021265.tif 000010
【図９】
2006021265.tif 000011
【図１０】
2006021265.tif 000012
【図１１】
2006021265.tif 000013
【図１２】
2006021265.tif 000014
【図１３】
2006021265.tif 000015
【図１４】
2006021265.tif 000016